(57)【特許請求の範囲】
【請求項１】
屋外空間（ＳＯ）と対象空間（ＳＩ）との間で換気を行わせる換気装置（１０）であって、
前記屋外空間（ＳＯ）の空気を前記対象空間（ＳＩ）に供給するための給気流路（４０）と、
前記給気流路（４０）内に、前記対象空間（ＳＩ）に向かう空気流れを生じさせる給気送風手段（１５）と、
前記対象空間（ＳＩ）の空気を前記屋外（ＳＯ）に排出するための排気流路（３０）と、
前記排気流路（３０）内に、前記屋外空間（ＳＯ）に向かう空気流れを生じさせる排気送風手段（１４）と、
前記給気流路（４０）を通過する空気と、前記排気流路（３０）を通過する空気と、を混ざり合わせることなく熱交換させる熱交換器（１２）と、
前記給気流路（４０）の下流側端部である給気吹出口（４２ａ）および前記排気流路（３０）の上流側端部である排気吸入口（３２ａ）が設置状態における前記対象空間（ＳＩ）側の面である下面側の面（１１ｂ）に設けられており、前記熱交換器（１２）を内部に収容するケーシング（１１）と、
前記ケーシング（１１）内であって、前記下面側の面（１１ｂ）の前記排気吸入口（３２ａ）および前記熱交換器（１２）の両方に対する鉛直方向上方に配置されており、前記排気流路（３０）内における前記熱交換器（１２）の下流側を通過する空気に含まれる特定成分を検知する検知手段（６０）と、
前記検知手段（６０）の検知結果に応じて、少なくとも前記給気送風手段（１５）と前記排気送風手段（１４）のいずれか一方を制御する制御部（７０）と、
を備えた換気装置（１０）。
【請求項２】
前記熱交換器（１２）と前記ケーシングの下面（１１ｂ）との最短距離が、前記熱交換器（１２）と前記ケーシングの上面（１１ａ）との最短距離よりも短くなるように、前記ケーシング（１１）内における前記熱交換器（１２）の位置が定められており、
前記熱交換器（１２）は、前記排気流路（３０）を流れる空気を下から上に向けて通過させる姿勢で配置されている、
請求項１に記載の換気装置。
【請求項３】
前記検知手段（６０）は、空気中の二酸化炭素の濃度を検知する、
請求項１または２に記載の換気装置。
【発明の詳細な説明】
【技術分野】
【０００１】
本発明は、換気装置に関する。
【背景技術】
【０００２】
従来より、室内の温度変化を小さく抑えて空調負荷を増大させないようにしながら、新鮮な空気を室内に取り込む全熱交換器を備えた換気装置が利用されている。
【０００３】
例えば、特許文献１（特開２００５−４３０３５号公報）に記載の換気装置では、空気清浄機と組み合わせて構成されたものが提案されている。この換気装置では、屋外の新鮮な空気が取り込まれる給気流路のうち全熱交換気の下流側（室内側）の空間を、換気用途と空気清浄用途で併用させた例が示されている。すなわち、この換気装置では、室内に向けて開口した室内吹出口は、全熱交換器の室内吹出口側の空間および全熱交換器を介して屋外に繋がっている換気モードと、全熱交換器の室内吹出口側の空間から空気清浄フィルタを介して（全熱交換器を介することなく）室内に繋がっている空気清浄モードと、の２つの運転モードが切り換えられる構成となっている。
【発明の概要】
【発明が解決しようとする課題】
【０００４】
上述した特許文献１（特開２００５−４３０３５号公報）に記載の換気装置では、室内側の空気の汚染濃度を感知するセンサが、全熱交換器の室内吹出口側に配置されている。これにより、上記換気装置では、センサが感知する汚染濃度が高い場合には換気モードを行って新鮮な空気を室内に取り込み、汚染濃度が低い場合には空気清浄モードを行わせている。
【０００５】
ところが、上記換気装置の構成では、センサが設けられている位置は、換気装置のうち屋外の空気を室内に取り込むための給気流路の途中であるため、換気モード中は、主として屋外から取り込まれる空気の汚染濃度を感知することになってしまう。このため、上記換気装置の構成では、汚染濃度を適切に感知するために、空気清浄モードを行って、センサの周囲に室内空気を通過させる必要が生じてしまう。
【０００６】
本発明は、上述した点に鑑みてなされたものであり、本発明の課題は、全熱交換器を用いた換気を行っている最中であっても、対象空間の空気の汚染状況を把握することが可能な換気装置を提供することにある。
【課題を解決するための手段】
【０００７】
本発明の第１観点に係る換気装置は、屋外空間と対象空間との間で換気を行う換気装置であって、給気流路、給気送風手段、排気流路、排気送風手段、熱交換器、ケーシング、検知手段、および、制御部を備えている。給気流路は、屋外空間の空気を対象空間に供給するための流路である。給気送風手段は、給気流路内に、対象空間に向かう空気流れを生じさせる。排気流路は、対象空間の空気を屋外に排出するため流路である。排気送風手段は、排気流路内に、屋外空間に向かう空気流れを生じさせる。熱交換器は、給気流路を通過する空気と、排気流路を通過する空気と、を混ざり合わせることなく熱交換させる。ケーシングは、給気流路の下流側端部である給気吹出口および排気流路の上流側端部である排気吸入口が設置状態における対象空間側の面である下面側の面に設けられており、熱交換器を内部に収容する。検知手段は、ケーシング内であって、下面側の面の排気吸入口および熱交換器の両方に対する鉛直方向上方に配置されており、排気流路内における熱交換器の下流側を通過する空気に含まれる特定成分を検知する。制御部は、検知手段の検知結果に応じて、少なくとも給気送風手段と排気送風手段のいずれか一方を制御する。なお、排気流路の下流側端部は、必ずしも屋外空間まで伸びている必要はなく、例えば、排気流路の下流側端部に対して、屋外空間まで伸びるダクト等を接続可能な構成であってもよい。排気流路の上流側端部は、必ずしも対象空間まで伸びている必要はなく、例えば、排気流路の上流側端部に対して、対象空間まで伸びるダクト等を接続可能な構成であってもよい。給気流路の下流側端部は、必ずしも対象空間まで伸びている必要はなく、例えば、給気流路の下流側端部に対して、対象空間まで伸びるダクト等を接続可能な構成であってもよい。給気流路の上流側端部は、必ずしも屋外空間まで伸びている必要はなく、例えば、給気流路の上流側端部に対して、屋外空間まで伸びるダクト等を接続可能な構成であってもよい。
【０００８】
この換気装置では、検知手段が、排気流路内を通過する空気に含まれる特定成分を検知する。このため、熱交換換気が行われている状態では、検知手段の周囲には、対象空間から排気流路内を通じて屋外に向かう空気が絶えず流れている状態になる。したがって、熱交換換気が行われている最中において、対象空間の空気の特定成分を検知することができる。これにより、熱交換換気を行いながら、特定成分の検知に応じた換気量制御が可能になる。
【０００９】
また、対象空間を仕切っている壁面の裏面側の空間に換気装置を設置する場合に、壁面の板厚方向の距離が十分に確保されていない物件がある。これに対して、この換気装置では、そのような物件に対して設置する場合であっても、排気流路における上流側端部と熱交換器との間に検知手段のためのスペースを確保する必要がない。
【００１０】
また、この換気装置では、ケーシングの下面側から、給気吹出口や排気吸入口を通じて熱交換器を取り外すことで、容易に検知手段に到達することが可能になる。このため、検知手段のメンテナンス性を向上させることができる。
【００１１】
本発明の第２観点に係る換気装置は、第１観点に係る換気装置において、熱交換器とケーシングの下面との最短距離が、熱交換器とケーシングの上面との最短距離よりも短くなるように、ケーシング内における熱交換器の位置が定められている。熱交換器は、排気流路を流れる空気を下から上に向けて通過させる姿勢で配置されている。
【００１２】
この換気装置では、ケーシング内の上面と熱交換器との間の上下方向の距離を確保することにより、排気流路内における熱交換器の下流側の流路のためのスペースを確保することができる。そして、検知手段が排気流路の下流側に配置されており、排気流路の上流側には配置されていないため、ケーシング内の下面と熱交換器との間の排気流路のためのスペースは、特に必要にはならない。このため、装置の上下方向の寸法を短くすることが可能になる。
【００１３】
本発明の第３観点に係る換気装置は、第１観点または第２観点に係る換気装置であって、検知手段は、空気中の二酸化炭素の濃度を検知する。
【００１４】
この換気装置は、検知手段が二酸化炭素の濃度を検知するため、対象空間の二酸化炭素の濃度に応じた換気制御を制御部に実行させることが可能になる。
【発明の効果】
【００１５】
本発明の第１観点に係る換気装置では、熱交換換気を行いながら、特定成分の検知に応じた換気量制御が可能になり、排気流路における上流側端部と熱交換器との間に検知手段のためのスペースを確保する必要がなく、検知手段のメンテナンス性を向上させることができる。
【００１６】
本発明の第２観点に係る換気装置では、装置の上下方向の寸法を短くすることが可能になる。
【００１７】
本発明の第３観点に係る換気装置では、対象空間の二酸化炭素の濃度に応じた換気制御を制御部に実行させることが可能になる。
【図面の簡単な説明】
【００１８】
【図１】インテリアパネルおよび本発明の一実施形態に係る換気装置の空気流れを説明するための概念図である。
【図２】インテリアパネルを用いて天井材に設置され、接続ダクトが接続された状態の換気装置の側面図である。
【図３】換気装置の下面図である。
【図４】換気装置の下面斜視図である。
【図５】全熱交換エレメントの概略構成図である。
【図６】全熱交換エレメント等が取り外された状態の分解斜視図である。
【図７】二酸化炭素センサの設置状態を示す斜視図である。
【発明を実施するための形態】
【００１９】
以下、図面を参照しつつ、本発明の一実施形態の換気装置１０を挙げて説明する。
【００２０】
図１に、インテリアパネル２０および換気装置１０の空気流れを説明するための概念図を示す。なお、図１では、空気流れの概要の理解の容易のため、ファン等の部材を上下方向に配置して示して説明しているが、本実施形態の換気装置１０は他の図面で示すようにファン等は図１における奥行き方向に並んで配置されている。
【００２１】
図２に、インテリアパネル２０を用いて天井材９９に設置され、排気用接続ダクト８３、および、給気用接続ダクト８４が接続された状態の換気装置１０の側面図を示す。
【００２２】
図３に、換気装置１０の下面図を示す。図４に、換気装置１０の下方から見た場合の斜視図を示す。図５に、全熱交換エレメント１２の概略構成図を示す。
【００２３】
図６に、換気装置１０の分解斜視概略図を示す。図７に、二酸化炭素センサ６０の設置状態を示す斜視図を示す。
【００２４】
（１）換気装置１０の概略構成
本実施形態の換気装置１０は、図２に示すように、屋外ＯＳの新鮮な空気を対象空間である室内ＳＩに供給し、室内ＳＩの空気を屋外ＯＳに排出し、その際に、排出空気と供給空気の間で熱交換させながら換気を行う装置である。本実施形態の換気装置１０は、天井材９９と天井面５０との間の空間に設置されている。本実施形態の換気装置１０は、図２に示すように、接続された排気用接続ダクト８３および給気用接続ダクト８４が、壁面９８を貫通するように設けられることで、屋外ＳＯと繋がる状態にして利用されている例を示している。
【００２５】
換気装置１０は、ケーシング１１、全熱交換エレメント１２、排気流路３０、給気流路４０、排気ファン１４、給気ファン１５、ファンモータ１３、排気フィルタ１２ｂ、給気フィルタ１２ｃ、切換ダンパ１８、断熱仕切部材１７、二酸化炭素センサ６０および制御ユニット７０を有している。
【００２６】
ケーシング１１は、上面１１ａ、下面１１ｂ、前面１１ｃ、背面１１ｄ、左側面１１ｆ、および右側面１１ｅを有する略直方体形状である。ケーシング１１の下面１１ｂは、天井材９９の上面の上方に位置するように設けられている。左側面１１ｆおよび右側面１１ｅｆには、いずれも固定手段としての取付金具５２が２つずつ設けられている。この取付金具５２と、天井面５０に固定されている複数本のボルト５１と、が互いに螺着固定されることで、ケーシング１１が天井材９９と天井面５０との間の空間に吊り下げられた状態で固定される。なお、左側面１１ｆの背面１１ｄ側には、左側面１１ｆの板厚方向外側に制御ユニット７０が設けられている。上面１１ａおよび下面１１ｂは、天井面５０および天井材９９と略面平行の姿勢となるように設けられている。下面１１ｂには、背面１１ｄ側の半分が上下方向に貫通した開口１１ｘが設けられている。この開口１１ｘの前面１１ａ側の一部は、排気流路３０の上流側（室内ＳＩ側）の排気吸入口３２ａを構成しており、この開口１１ｘの背面１１ｄ側の他の一部は、給気流路４０の下流側（室内ＳＩ側）の給気吹出口４２ａを構成している。なお、ケーシング１１の下面１１ｂの開口１１ｘの水平方向の外縁は、後述するインテリアパネル２０を接続するための形状となっており、鉛直方向下側に僅かに伸び出ている被接続部１１ｙが設けられている。前面１１ｃは、板厚方向外側に向けてノズル状に突出するように設けられた排気吹出口３１ａおよび給気吸入口４１ａの両方が設けられている。このため、ケーシング１１は、上面１１ａ、左側面１１ｆ、右側面１１ｅ、および、背面１１ｄから外側に流路が伸びていないため、これらの面の外側における配置スペースは制約がない（左側面１１ｆおよび右側面１１ｅに設けられた取付金具５２および制御ユニット７０を除く。）。
【００２７】
排気流路３０は、ケーシング１１の内部を、排気吸入口３２ａから、排気流路上流側空間３２、全熱交換エレメント１２、および、排気流路下流側空間３１を介して、排気吹出口３１ａまでが接続されて構成された流路である。
【００２８】
給気流路４０は、ケーシング１１の内部を、給気吸入口４１ａから、給気流路上流側空間４１、全熱交換エレメント１２、および、給気流路下流側空間４２を介して、給気吹出口４２ａまでが接続されて構成された流路である。なお、給気流路４０と排気流路３０とは、ケーシング１１の内部において仕切部材によって互いに仕切られている。
【００２９】
全熱交換エレメント１２は、ケーシング１１の内部に収容されている略直方体形状の熱交換器である。この全熱交換エレメント１２の各面は、ケーシング１１の各面と互いに面平行となる姿勢で配置されている。本実施形態では、全熱交換エレメント１２の下面と、ケーシング１１の下面１１ｂの開口１１ｘとの間（排気流路上流側空間３２）の鉛直方向の長さが、二酸化炭素センサ６０のうち最も短い辺の長さよりも短くなるように、全熱交換エレメント１２が配置されている。この全熱交換エレメント１２の下面と、ケーシング１１の下面１１ｂの開口１１ｘとの間（排気流路上流側空間３２）の鉛直方向の長さは、例えば、全熱交換エレメント１２の上面とケーシング１１の上面１１ａとの間の長さの２０％以下であってよく、１０％以下であってもよい。この全熱交換エレメント１２は、長手方向の端面が、それぞれケーシング１１の左側面１１ｆおよび右側面１１ｅと面するように設けられている。全熱交換エレメント１２は、ケーシング１１の下面１１ｂの開口１１ｘ（具体的には、排気流路３０の排気吸入口３２ａ）に対して鉛直上方空間に収まるように配置されている。この全熱交換エレメント１２には、排気空気流れが下面側から上面側に向けて通過し、給気空気流れが前面側から背面側に向けて通過することで、排気空気と給気空気との間で熱交換を行わせる。なお、全熱交換エレメント１２は、図５に示すように、室内ＳＩの還気ＲＡを排気流路上流側空間３２から排気流路下流側空間３１に向けて排気ＥＡとして通過させる。また、全熱交換エレメント１２は、屋外ＳＯの外気ＯＡを給気流路上流側空間４１から給気流路下流側空間４２に向けて給気ＳＡとして通過させる（図１では、還気ＲＡから排気ＥＡの流れを点線で示し、外気ＯＡから給気ＳＡの流れを実線で示している。）。ここで、全熱交換エレメント１２では、排気流路３０を流れる空気と、給気流路４０を流れる空気との間で熱交換を行わせるが、これらの空気が互いに混ざり合うことがないように構成されている。
【００３０】
排気ファン１４は、排気流路３０の排気流路下流側空間３１において、ケーシング１１の前面１１ａ側に配置されており、図示しない羽根車ケーシングとシロッコファンによって構成されている。
【００３１】
給気ファン１５は、給気流路４０の給気流路上流側空間４１において、ケーシング１１の前面１１ａ側に配置されており、図示しない羽根車ケーシングとシロッコファンによって構成されている。
【００３２】
上記排気ファン１４と給気ファン１５とは、各回転軸が共通軸化されており、その共通回転軸を回転駆動させるファンモータ１３によって駆動される。
【００３３】
排気フィルタ１２ｂは、図６に示すように、全熱交換エレメント１２の下面側を覆うように、排気流路３０の排気流路上流側空間３２内に配置されており、室内ＳＩ側から取り込まれた空気の集塵等を捕らえる。
【００３４】
給気フィルタ１２ｃは、図６に示すように、全熱交換エレメント１２の前面側を覆うように、給気流路４０の給気流路上流側空間４１内に配置されており、屋外ＳＯから取り込まれた空気の集塵等を捕らえる。
【００３５】
切換ダンパ１８は、図１および図６に示すように、全熱交換エレメント１２の背面側下端部近傍に取り付けられており、給気流路４０の給気流路下流側空間４２と室内ＳＩとの間を塞いだ状態と、塞いでいない状態とが、制御ユニット７０によって切換制御される。
【００３６】
断熱仕切部材１７は、ケーシング１１の内部であって、全熱交換エレメント１２の背面側でかつ上面側の空間を覆うように設けられており、断熱機能を有する発泡体で構成されている。この断熱仕切部材１７によって、全熱交換エレメント１２の背面側の空間（給気流路下流側空間４２）と、全熱交換エレメント１２の上面側の空間（排気流路下流側空間３１）と、を互いに仕切ることができている。
【００３７】
二酸化炭素センサ６０は、図３および図７に示すように、排気流路３０の途中に配置されており、周囲を通過する空気中に含まれる二酸化炭素の濃度を検知する。この二酸化炭素センサ６０は、より具体的には、排気流路３０における全熱交換エレメント１２の下流側、すなわち、排気流路下流側空間３１内に、ケーシング１１内の上面１１ａに対して固定されるようにして配置されている。二酸化炭素センサ６０は、図３に示すように、ケーシング１１の内部の右側面１１ｅ側寄りであって、全熱交換エレメント１２が収容されている状態では全熱交換エレメント１２の上面の鉛直上方の空間に収まるように配置されている。すなわち、二酸化炭素センサ６０は、排気流路３０の排気流路上流側空間３２の排気吸入口３２ａの鉛直方向上方の空間内であって、かつ、全熱交換エレメント１２の上面の鉛直方向上方の空間内に配置されている。このように、二酸化炭素センサ６０と、排気吸入口３２ａと、全熱交換エレメント１２と、は、互いに鉛直方向に重なるように配置されている。図７に示すように、二酸化炭素センサ６０は、筐体を有しており、その筐体の側面に配線用開口６１が設けられている。図３に示すように、二酸化炭素センサ６０からは、この配線用開口６１を通じて、制御ユニット７０まで、センサ配線７３が伸びており、二酸化炭素センサ６０が検知した二酸化炭素濃度を制御ユニット７０に伝えることができている。このセンサ配線７３は、二酸化炭素センサ６０と制御ユニット７０との間の中間位置において、クランプ材７５によってケーシング１１の上面１１ａの内側表面に固定されている。なお、図３に示すように、制御ユニット７０から伸びているダンパ配線７４は、切換ダンパ１８まで伸びており、制御ユニット７０からの指令に応じて切換ダンパ１８の状態を切り換える。なお、ダンパ配線７４についても、同様に、クランプ剤７５によって、ケーシング１１の上面１１ａに固定されている。
【００３８】
制御ユニット７０は、上述したように、ケーシング１１の左側面１１ｆの外側に設けられており、図４に示すように、内部に電装基板７１が収容されている。この制御ユニット７０は、ケーシング１１の左側面１１ｆの一部が板厚方向に貫通している部分に設けられており、この貫通部分は、ケーシング１１の内側からカバー７２によって覆うことが可能になっている。
【００３９】
（２）インテリアパネル２０の概略構成
インテリアパネル２０は、換気装置１０のケーシング１１下面である室内ＳＩ側の開口１１ｘ（具体的には、排気吸入口３２ａおよび給気吹出口４２ａ）を天井材９９に対して固定するための部材であり、化粧パネル２１およびダクト部２２を有している。
【００４０】
化粧パネル２１は、室内ＳＩ側に面するように設けられており、図２に示すように、天井材９９の板厚方向の室内ＳＩ側に配置される。ここで、化粧パネル２１の平面視の形状は、天井材９９に設けられた開口９９ｘの縁を沿った形状であり、化粧パネル２１の平面視の外縁は、天井材９９に設けられた開口９９ｘよりも僅かに大きい。
【００４１】
ダクト部２２は、化粧パネル２１の上方から、換気装置１０のケーシング１１の下面１１ｂの開口１１ｘ（排気吸入口３２ａおよび給気吹出口４２ａ）を接続するための流路を構成している。このダクト部２２の上端は、換気装置１０のケーシング１１の下面１１ｂから鉛直方向下側に伸び出ている被接続部１１ｙに対して接続される。これにより、インテリアパネル２０は、換気装置１０に対して接続される。なお、切換ダンパ１８が開状態である場合は、このダクト部２２内の空間は、排気流路３０と繋がる空間と、給気流路４０と繋がる空間と、に切換ダンパ１８によって仕切られている。
【００４２】
ここで、図２に示すように、換気装置１０のケーシング１１が天井面５０に対して取付金具５２を介して固定された状態では、ケーシング１１の下面１１ｂと、天井面５０と、の間の鉛直方向の長さＺは既に定まっている。これに対して、天井面５０と天井材９９との間の鉛直方向の距離Ｘは、物件毎に異なる場合がある。したがって、物件毎に、ケーシング１１の下面１１ｂとインテリアパネル２０の化粧パネル２１の上面との間の距離Ｙが異なることになる。ここで、インテリアパネル２０のダクト部２２の鉛直方向の長さを適宜選択することによって、この物件毎に異なる距離Ｙに対応させることができるようになっている。
【００４３】
（３）換気動作
上記換気装置１０は、制御ユニット７０が、二酸化炭素センサ６０が検知する二酸化炭素濃度に応じて、給気ファン１５および排気ファン１４の駆動状態を制御する。
【００４４】
具体的には、二酸化炭素センサ６０は、排気流路３０の排気流路下流側空間３１に向けて室内ＳＩから全熱交換エレメント１２を通過して流れてきた空気を対象として、二酸化炭素濃度を検知する。ここで、制御ユニット７０は、二酸化炭素センサ６０が検知した二酸化炭素濃度が所定の換気開始条件を満たしているか否か（本実施形態では、所定の開始濃度を超えているか否か）を判断する。そして、所定の換気開始条件を満たしている場合には、制御ユニット７０は、切換ダンパ１８を開状態にすることで給気流路４０を介して屋外ＳＯと室内ＳＩとが繋がった状態にし、ファンモータ１３を駆動させることで、給気ファン１５および排気ファン１４を駆動させることで熱交換換気を行い、室内ＳＩの空調負荷の増大を抑制させながら、新鮮な空気を室内ＳＩに取り込む。
【００４５】
上記処理を終えて所定の時間だけ待機した後、制御ユニット７０は、再度、二酸化炭素センサ６０が検知する二酸化炭素濃度を把握して、二酸化炭素濃度が所定の換気停止条件を満たしているか否か（本実施形態では、所定の停止濃度を下回っているか否か）を判断する。そして、所定の換気停止条件を満たしている場合には、制御ユニット７０は、切換ダンパ１８を閉状態にすることで屋外ＳＯと室内ＳＩとが繋がっていない状態にし、ファンモータ１３を停止させ、熱交換換気を停止する。制御ユニット７０は、以上の動作を繰り返し、室内ＳＩの二酸化炭素濃度が上昇し過ぎないようにし、室内ＳＩを快適な状態に維持する。
【００４６】
（４）メンテナンス
換気装置１０の全熱交換エレメント１２、給気フィルタ１２ｃ、排気フィルタ１２ｂ、切換ダンパ１８、二酸化炭素センサ６０、および、制御ユニット７０をメンテナンスする際は、図６に示すように、換気装置１０のケーシング１１の下面１１ｂの開口１１ｘを介して、全熱交換エレメント１２、給気フィルタ１２ｃ、排気フィルタ１２ｂ、切換ダンパ１８を取り出してメンテナンス作業を行う。
【００４７】
換気装置１０から、全熱交換エレメント１２、給気フィルタ１２ｃ、排気フィルタ１２ｂ、切換ダンパ１８が取り出されると、二酸化炭素センサ６０や制御ユニット７０を、内側に向き出しの状態にさせることができるため、これらについては取り外すことなくメンテナンスを行ってもよい。
【００４８】
（５）特徴
（５−１）
上記実施形態の換気装置１０は、排気流路３０を流れる室内ＳＩからの空気と、給気流路４０を流れる屋外ＳＯの空気と、の間で熱交換を行わせながら換気を行うことができる。このため、屋外ＳＯの新鮮空気を室内ＳＩに取り込むことによる室内ＳＩの温度変化を小さく抑えつつ、室内ＳＩに新鮮な空気を供給することが可能になる。
【００４９】
（５−２）
上記換気装置１０は、換気動作を行っている状態では、室内ＳＩからの空気が換気装置１０内部に取り込まれるため、排気流路３０に設けられている二酸化炭素センサ６０の周囲が常に室内ＳＩからの空気によって覆われていることになる。このため、この換気装置１０では、換気動作を行いながら室内ＳＩの空気の二酸化炭素濃度を把握し続けることが可能になる。
【００５０】
これにより、換気動作を行いながら二酸化炭素センサ６０による検知濃度を把握することにより、室内ＳＩの空気の二酸化炭素濃度が所定の換気停止条件を満たすまで低下した場合に、換気動作を終えることができる。このため、室内ＳＩの温度が、屋外ＳＯの空気によって過度に上昇したり過度に低下することを未然に防ぐことが可能になる。このため、例えば、同じ室内ＳＩに空調機が設置されている場合には、その空調機の空調負荷の上昇を抑制させながら、室内ＳＩにできるだけ新鮮な空気を供給することができる。
【００５１】
（５−３）
上記換気装置１０が設置される天井面５０と天井材９９との間の鉛直方向の長さＸは、物件によって異なることがある。
【００５２】
これに対して、上記実施形態では、換気装置１０は、インテリアパネル２０のダクト部２２の鉛直方向の長さＹを調節することにより、適切な設置が可能になっている。
【００５３】
なお、上記実施形態の換気装置１０では、ケーシング１１の下面１１ｂの開口１１ｘと全熱交換エレメント１２の下面との間（排気流路上流側空間３２）の鉛直方向の長さが短くなるように配置構成されている。このため、例えば、インテリアパネル２０のダクト部２２の鉛直方向の長さＹを短く調節する場合には、ケーシング１１の下面１１ｂの開口１１ｘと全熱交換エレメント１２の下面との間（排気流路上流側空間３２）に、二酸化炭素センサ６０を配置するためのスペースを設けることが困難になる物件がある。
【００５４】
これに対して、上記実施形態の換気装置１０では、二酸化炭素センサ６０をケーシング１１内の排気流路３０のうち、排気流路下流側空間３１内に配置しているため、物件による設置の制約を受けることがない。
【００５５】
（５−４）
上記換気装置１０は、ケーシング１１の下面１１ｂの開口１１ｘ、全熱交換エレメント１２、給気フィルタ１２ｃ、排気フィルタ１２ｂ、切換ダンパ１８、および、二酸化炭素センサ６０が、鉛直方向に並んで配置されている。
【００５６】
このため、二酸化炭素センサ６０をメンテナンスする場合であっても、ケーシング１１の下面１１ｂの開口１１ｘを介して、全熱交換エレメント１２、給気フィルタ１２ｃ、排気フィルタ１２ｂおよび切換ダンパ１８を取り除くことで、室内ＳＩ側から容易に到達することができる。このため、天井材９９を破壊することなく、メンテナンスを行うことができる。
【００５７】
（５−５）
なお、全熱交換エレメント１２の下面側については、排気吸入口３２aが上下方向に開口しているとともに、上記換気装置１０が設置された状態で室内ＳＩには広い空間が広がっている状態になるため、排気流路上流側空間３２の流路幅を確保することは容易であり、ケーシング１１の下面１１ｂと天井材９９との間の鉛直方向の長さが短くなったとしても特に問題はない。
【００５８】
これに対して、全熱交換エレメント１２の上面側については、仮に、換気装置１０のケーシング１１の上面１１ａとの間の距離を狭めてしまうと、排気流路３０の排気流路下流側空間３１の流路幅が狭まってしまうことになり、流路幅を十分に確保することができなくなる。このため、排気流路３０の排気流路下流側空間３１については、全熱交換エレメント１２の上面とケーシング１１の上面１１ａとの間の鉛直方向の長さをある程度確保する必要がある。
【００５９】
そして、上記実施形態の換気装置１０では、このようにある程度確保することが必要となっている位置を、二酸化炭素センサ６０の設置スペースに流用することが可能になっている。
【００６０】
（６）他の実施形態
本発明の実施形態は、上記実施形態に限られるものではなく、例えば、以下の実施形態も本発明の実施形態に含まれる。
【００６１】
（６−１）
上記実施形態では、ケーシング１１の前面１１ｃの排気吹出口３１ａに対して排気用接続ダクト８３が接続され、給気吸入口４１ａに対して給気用接続ダクト８４が接続されて用いられる換気装置１０を例に挙げて説明した。
【００６２】
しかし、本発明の実施形態としては、これに限られず、排気用接続ダクト８３や給気用接続ダクト８４が用いられることなく、排気吹出口３１ａや給気吸入口４１ａが直接屋外ＳＯに繋がっていてもよい。
【００６３】
（６−２）
上記実施形態では、換気制御を行う際の判断基準として二酸化炭素濃度を用い、二酸化炭素センサ６０が採用された換気装置１０を例に挙げて説明した。
【００６４】
しかし、本発明の実施形態としては、これに限られず、例えば、換気制御を行う際の判断基準として、一酸化炭素の濃度や、ＶＯＣ（揮発性有機化合物＝Volatile Organic Compounds）の濃度を用い、これらの成分の濃度を検知可能なセンサを備えた換気装置であってもよい。
【産業上の利用可能性】
【００６５】
本発明の換気装置は、全熱交換器を用いた換気を行っている最中であっても、対象空間の空気の汚染状況を把握することができるため、空気の汚染状況に応じて換気を行う換気装置において特に有用である。
【符号の説明】
【００６６】
１０  換気装置
１２  全熱交換エレメント（熱交換器）
２０  インテリアパネル
３０  排気流路
３１  排気流路下流側空間
３１ａ  排気吹出口
３２  排気流路上流側空間
３２ａ  排気吸入口
４０  給気流路
４１  給気流路上流側空間
４１ａ  給気吸入口
４２  給気流路下流側空間
４２ａ  給気吹出口
５０  天井面
６０  二酸化炭素センサ（検知手段）
７０  制御ユニット（制御部）
９９  天井材
ＳＩ  室内（対象空間）
ＳＯ  屋外
【先行技術文献】
【特許文献】
【００６７】
【特許文献１】特開２００５−４３０３５号公報
【図１】
0005621736.tif 000002
【図２】
0005621736.tif 000003
【図３】
0005621736.tif 000004
【図４】
0005621736.tif 000005
【図５】
0005621736.tif 000006
【図６】
0005621736.tif 000007
【図７】
0005621736.tif 000008